(57)【要約】      （修正有）【課題】ボケ味やゴースト形状の品位向上が可能な絞り装置を提供する。【解決手段】回動軸ＣＬ１の回りに回動する回動アーム５と、回動アーム５に連結され鈍角のＶ字状なる第１の一対の辺１ａ、１ｂ有する第１の絞り羽根１と、回動アームに連結され鈍角のＶ字状なる第２の一対の辺２ａ、２ｂを有する第２の絞り羽根２と、回動アームに連結され鋭角のＶ字状なる第３の一対の辺３ａ、３ｂを有する第３の絞り羽根３と、回動アームに連結され鋭角のＶ字状なる第４の一対の辺４ａ、４ｂを有する第４の絞り羽根４と、を有する。回動アーム５の回動に伴い第１〜第４の一対の辺１ａ、１ｂ、２ａ、２ｂ、３ａ、３ｂ、４ａ、４ｂに囲まれた開口窓の面積が変化する。【選択図】図２
2010230980.tif 000002
【特許請求の範囲】
【請求項１】
所定の回動軸まわりに正逆方向に回動する回動アームと、
前記回動アームに連結され、頂角が鈍角のＶ字状で前記記回動軸より遠いほど互いに接近するよう形成された第１の一対の辺を有する第１の絞り羽根と、
前記回動アームに連結され、頂角が鈍角のＶ字状で前記回動軸に近いほど互いに接近するよう形成された第２の一対の辺を有する第２の絞り羽根と、
前記回動アームに連結され、頂角が鋭角のＶ字状で前記回動軸より遠いほど互いに接近するよう形成された第３の一対の辺を有する第３の絞り羽根と、
前記回動アームに連結され、頂角が鋭角のＶ字状で前記回動軸に近いほど互いに接近するよう形成された第４の一対の辺を有する第４の絞り羽根と、を有し、
前記回動アームの回動に伴い、前記第１〜第４の一対の辺に囲まれて形成された開口窓の面積が変化する構成の絞り装置。
【請求項２】
前記回動アームの正逆方向の回動に伴い、前記第１の一対の辺と前記第２の一対の辺とが互いに離接すると共に前記第３の一対の辺と前記第４の一対の辺とが互いに離接するよう構成されて成ることを特徴とする請求項１記載の絞り装置。
【請求項３】
前記開口窓が正八角形であることを特徴とする請求項１または請求項２記載の絞り装置。
【請求項４】
前記第３の一対の辺または前記第４の一対の辺が頂点で交わらないよう連結する連結辺を有していることを特徴とする請求項１〜３のいずれか１項に記載の絞り装置。
【発明の詳細な説明】
【技術分野】
【０００１】
本発明は、絞り装置に係り、特に、ビデオカメラに搭載されボケ味やゴースト形状の品位が良好な絞り装置に関する。
【背景技術】
【０００２】
従来、ビデオカメラの絞り装置は、絞り羽根が２枚で構成されるものが多い。
絞り羽根が２枚の場合、絞り羽根により形成される開口形状は、通常、菱形または正方形とされる。
一般に、絞り羽根で形成される開口形状が円に近い程、ソフトフォーカスやポートレートでのいわゆるボケ味は美しく、品位が良好となる。
また、逆光下で生じるゴースト形状は、開口形状と相似になるため、開口形状が円に近い程、ゴースト形状の品位は良好になる。
従って、絞り羽根で形成される開口形状をできるだけ円に近づけて、ボケ味やゴースト形状の品位をより良好にすることが、常に望まれている。
【０００３】
これに応えて、一眼レフ等の高性能なスチルカメラに用いられるレンズに搭載される絞り装置は、絞り羽根を、光軸を中心として周方向に６枚、あるいは８枚配接し、各絞り羽根を光軸に直交する面内で光軸に対して離接するように駆動する構造を有するものが多い。
この構造によれば、絞り羽根により形成される開口形状がそれぞれ六角形、あるいは八角形になるので、ボケ味やゴースト形状の品位を良化することができる。
【０００４】
しかしながら、このような、絞り羽根を光軸に対して周方向に配設して径方向に離接させる構造を採用すると、装置は径方向へ大型化するので、小型化や薄型化が要求されるスチルカメラやビデオカメラへの採用は難しい。
【０００５】
そこで、２組４枚の絞り羽根の各組を光軸に対して対向配置し、光軸を通る一軸上で互いに離接する方向に駆動して六角形の開口形状を得る絞り装置が特許文献１に開示されている。
【先行技術文献】
【特許文献】
【０００６】
【特許文献１】特開平１０−３０１１５９号公報
【発明の概要】
【発明が解決しようとする課題】
【０００７】
特許文献１に記載された絞り装置は、絞り羽根を、光軸を通る一軸上で互いに離接させるよう駆動する構造であるため、その一軸に直交する方向の薄型化が可能である。
また、絞り羽根により形成される開口形状が六角形であるから、菱形や正方形の場合と比べてボケ味やゴースト形状の品位は良好となる。
一方、特許文献１に記載された絞り装置は、絞り羽根の形状において、頂角が鋭角とされているために、対向する絞り羽根を閉じきるためのストロークが長くなっており、装置の小型化については改善の余地があるものである。
さらに、近年、高精細画像が一般に普及するに伴い、ビデオカメラに対しては、小型化、薄型化に加え、画質の品位向上についても要求が高くなっている。
そのため、絞り装置に対しては、更なる小型化とボケ味やゴースト形状の更なる品位向上とが望まれている。
【０００８】
そこで、本発明は、ボケ味やゴースト形状の更なる品位向上が可能な絞り装置を提供することを目的とする。また、ボケ味やゴースト形状の更なる品位向上が可能で、かつ更なる小型化も可能な絞り装置を提供することを目的とする。
【課題を解決するための手段】
【０００９】
上記の課題を解決するために、本発明は次の１）〜４）の構成を有する。
１）  所定の回動軸(CL1)のまわりに正逆方向に回動する回動アーム(5)と、
前記回動アーム(5)に連結され、頂角(θ1)が鈍角のＶ字状で前記記回動軸(CL1)より遠いほど互いに接近するよう形成された第１の一対の辺(1a,1b)を有する第１の絞り羽根(1)と、
前記回動アーム(5)に連結され、頂角(θ2)が鈍角のＶ字状で前記回動軸(CL1)に近いほど互いに接近するよう形成された第２の一対の辺(2a,2b)を有する第２の絞り羽根(2)と、
前記回動アーム(5)に連結され、頂角(θ3)が鋭角のＶ字状で前記回動軸(CL1)より遠いほど互いに接近するよう形成された第３の一対の辺(3a,3b)を有する第３の絞り羽根(3)と、
前記回動アーム(5)に連結され、頂角(θ2)が鋭角のＶ字状で前記回動軸(CL1)に近いほど互いに接近するよう形成された第４の一対の辺(4a,4b)を有する第４の絞り羽根(4)と、を有し、
前記回動アーム(5)の回動に伴い、前記第１〜第４の一対の辺(1a,1b,2a,2b,3a,3b,4a,4b)に囲まれて形成された開口窓(K1)の面積が変化する構成の絞り装置(50)である。
２）  前記回動アーム(5)の正逆方向の回動に伴い、前記第１の一対の辺(1a,1b)と前記第２の一対の辺(2a,2b)とが互いに離接すると共に前記第３の一対の辺(3a,3b)と前記第４の一対の辺(4a,4b)とが互いに離接するよう構成されて成ることを特徴とする１）に記載の絞り装置(50)である。
３）  前記開口窓(K1)が正八角形であることを特徴とする１）または２）に記載の絞り装置(50)である。
４）  前記第３の一対の辺(3a,3b)または前記第４の一対の辺(4a,4b)が頂点（P3,P4）で交わらないよう連結する連結辺(3c)(4c)を有していることを特徴とする１）〜３）のいずれかに記載の絞り装置(50)である。
【発明の効果】
【００１０】
本発明によれば、ボケ味やゴースト形状の更なる品位向上が可能になる。また、ボケ味やゴースト形状の更なる品位向上が可能で、かつ更なる小型化も可能になる。
【図面の簡単な説明】
【００１１】
【図１】本発明の絞り装置の実施例を示す斜視図である。
【図２】本発明の絞り装置の実施例における絞り羽根を説明するための平面図である。
【図３】本発明の絞り装置の実施例における効果を説明するための平面図である。
【図４】本発明の絞り装置の実施例における動作を説明するための平面図である。
【図５】本発明の絞り装置の実施例における動作を説明するための斜視図である。
【発明を実施するための形態】
【００１２】
本発明の実施の形態を、好ましい実施例により図１〜図５を用いて説明する。
【００１３】
図１は、本発明の絞り装置の実施例を示す外観斜視図である。
【００１４】
図１において、ベース板６は軸線ＣＬｎ方向を長手として形成された板状部材である。
ベース板６は、軸線ＣＬｎと直交する軸線ＣＬｔとの交点を中心とする円形の開口部６ｋを有している。
絞り装置５０は、開口部６ｋの中心を例えばビデオカメラなどの撮像装置の光軸に一致させて、その撮像装置の光路上に配置される。
ベース板６は、軸線ＣＬｎに沿ってその軸ＣＬｎに対して対称な位置に突設された２対の案内ピン６ａ〜６ｄを有している。
ベース板６の図１における下方側には、回動アーム５が回動軸ＣＬ１のまわりの時計回り及び反時計回り（矢印ＲＴ１方向）に回動可能に設けられている。
回動アーム５は、ガルバノメータ７と連結されており、ガルバノメータ７により回動軸ＣＬ１を中心として所定の角度範囲で矢印ＲＴ１方向に回動駆動される。
ガルバノメータ７による回動は、この絞り装置５０が搭載された撮像装置が良好な画像を撮像する絞り値となるように、撮像装置側から制御される。
【００１５】
回動アーム５には、突出する４つの駆動ピンが設けられている。
具体的には、回動軸ＣＬ１に対して図１の左方側に、回動軸ＣＬ１側から駆動ピン５ｂ，５ａが設けられており、図１の右方側に、回動軸ＣＬ１側から駆動ピン５ｃ，５ｄが設けられている。
【００１６】
ベース板６には、各案内ピン６ａ〜６ｄと各駆動ピン５ａ〜５ｄとに係合した４枚の絞り羽根が備えられている。
具体的には、４枚の羽根は、ベース板６から遠い側（図１の手前側）から順に、第１の羽根１，第２の羽根２，第３の羽根３，第４の羽根４である。
絞り羽根１〜４は、開口部６ａの内部に進退して開口部６ｋを通過する光を遮光し、通過する光量を制御する遮光手段である。
【００１７】
各絞り羽根１〜４には、軸線ＣＬｎ方向に長く開口して各案内ピン６ａ〜６ｄとそれぞれ係合するスリットが設けられている。
従って、各羽根１〜４は、各案内ピン６ａ〜６ｄに案内されて軸線ＣＬｎ方向に移動可能とされている。
【００１８】
また、各羽根１〜４は駆動ピン５ａ〜５ｄと以下のように係合している。
すなわち、第１の羽根１は、駆動ピン５ｂのみと係合し、第２の羽根２は、駆動ピン５ｃのみと係合し、第３の羽根３は、駆動ピン５ａのみと係合し、第４の羽根４は、駆動ピン５ｄとのみ係合している。
従って、各羽根１〜４は、回動アーム５の回動に伴い、その回動角度に応じた軸線ＣＬｎ方向の所定の場所に位置する。
【００１９】
次に、図２（ａ）〜（ｄ）を用いて各羽根１〜４の形状について説明する。
図２（ａ），（ｂ）は、回動アーム５と第１，第２の羽根１，２について示している。
図２（ｃ），（ｄ）は、回動アーム５と第３，第４の羽根３，４について示している。
【００２０】
第１の羽根１は、図２（ａ）において斜線を付した部材である。
第１の羽根１は、縁部に、軸線ＣＬｎに対して対称であって頂角θ１をなす一対の辺１ａ，１ｂを有している。頂角θ１は鈍角とされ実施例においては１３５度であり、頂点Ｐ１は辺１ａ，１ｂに対して回動軸ＣＬ１から遠い側にある。
第１の羽根１は、図２（ａ）の下方において駆動ピン５ｂと係合している。
【００２１】
第２の羽根２は、図２（ｂ）において斜線を付した部材である。
第２の羽根２は、縁部に、軸線ＣＬｎについて対称であって頂角θ２をなす一対の辺２ａ，２ｂを有している。頂角θ２は鈍角とされ実施例においては１３５度であり、頂点Ｐ２は辺２ａ，２ｂに対して回動軸ＣＬ１に近い側にある。
第２の羽根２は、図２（ｂ）の下方において駆動ピン５ｃと係合している。
【００２２】
第３の羽根３は、図２（ｃ）において斜線を付した部材である。
第３の羽根３は、縁部に、軸線ＣＬｎについて対称であって頂角θ３をなす一対の辺３ａ，３ｂを有している。頂角θ３は鋭角とされ実施例においては４５度であり、頂点Ｐ３は辺３ａ，３ｂに対して回動軸ＣＬ１から遠い側にある。
また、軸線ＣＬｎに直交し各辺３ａ，３ｂを連結する辺３ｃが設けられている。
第３の羽根３は、図２（ｃ）の下方において駆動ピン５ａと係合している。
【００２３】
第４の羽根４は、図２（ｄ）において斜線を付した部材である。
第４の羽根４は、縁部に、軸線ＣＬｎについて対称であって頂角θ４をなす一対の辺４ａ，４ｂを有している。頂角θ４は鋭角とされ実施例においては４５度であり、頂点Ｐ４は辺４ａ，４ｂに対して回動軸ＣＬ１から近い側にある。
また、軸線ＣＬｔに直交し各辺４ａ，４ｂを連結する辺４ｃが設けられている。
第４の羽根４は、図２（ｄ）の下方において駆動ピン５ｄと係合している。
【００２４】
上述した構成において、第１〜第４の羽根４を組み合わせると、図３（ａ）に示すように、辺１ａ，１ｂ，２ａ，２ｂ，３ａ，３ｂ，４ａ，４ｂの８つの辺からなる正八角形の開口窓Ｋ１が得られる。
図３（ａ）においては、その開口窓Ｋ１に内接する円Ｃ１も示しており、開口窓Ｋ１と円Ｃ１との間の領域を黒塗りとしている。
この黒塗りの面積が小さい程、絞りの開口形状が円に近いことになりボケ味やゴースト形状の品位をより良化できる。
図３（ｃ）に比較例として、従来の絞り装置における正六角形の開口窓Ｋ１０と、それに内接する円Ｃ１０とを示している。同様に開口窓Ｋ１０と円Ｃ１０との間の領域を黒塗りとしている。
図３（ａ）と図３（ｃ）との黒塗りの面積を比較すると、実施例の開口窓Ｋ１の方が円形開口により近いことが明らかである。従って、実施例の絞り装置により良好にボケ味やゴースト形状の品位を向上できることがわかる。
【００２５】
また、開口窓Ｋ１の大きさは、回動レバー５の回動角度により任意に変えることができる。
第１の絞り羽根１における辺１ａ，１ｂと第２の絞り羽根２における辺２ａ，２ｂとは、回動レバー５の回動により互いに離接する。
また、第３の絞り羽根３における辺３ａ，３ｂと第４の絞り羽根４における辺４ａ，４ｂとは、回動レバー５の回動により、互いに離接する。
そして、それぞれの離接が同時に実行され各辺で囲まれた開口窓１ｋの大きさが変化する。
図４（ａ）は、回動レバー５が回動許容範囲の最大右回り位置にある状態を示しており、図４（ｎ）は、回動レバー５が最大左回り位置にある状態を示し、図４（ｂ）〜（ｍ）はその間を概ね等分割した各回動レバー５の位置の状態を示している。
すなわち、図４（ａ）で開口窓Ｋ１は最小絞り（開放端）となり、図４（ｎ）で開口窓Ｋ１は最大絞り（最小開口）となっている。
また、図５（ａ），（ｄ），（ｆ），（ｊ）は、それぞれ図４（ａ），（ｄ），（ｆ），（ｊ）に対応する斜視的イメージ図である。図５（ｎ）は、図４（ｎ）の状態からさらにストロークを拡張して開口窓Ｋ１を閉じきった状態を参考として示している。
【００２６】
ここで、回動レバー５の回動軸ＣＬ１から駆動ピン５ｂ，５ａ，５ｃ，５ｄまでの距離をそれぞれＬｂ，Ｌａ，Ｌｃ，Ｌｄとしたときに、互いの比率を、
Ｌｂ：Ｌａ：Ｌｃ：Ｌｄ＝１：２．４１：−２．４１：−１
と設定すると、開口窓Ｋ１の形状は、回動レバー５の回転位置に拘わらず相似となる。
【００２７】
第１〜第４の羽根１〜４の頂角θ１〜θ４は次のように設定してもよい。
すなわち、θ１＝θ２＝１２０度，θ３＝θ４＝６０度である。
この条件の場合に得られる開口窓Ｋ２は、辺１ａ，１ｂ，２ａ，２ｂ，３ａ，３ｂ，４ａ，４ｂの８つの辺からなり、内角が１２０度と１５０度とで構成された八角形となる。
【００２８】
図３（ｂ）に、開口窓Ｋ２とそれに内接する円Ｃ２とを示す。図３（ｂ）において、両者の間の領域を黒塗りにしている。
この場合も、正八角形の開口窓Ｋ１の場合〔図３（ａ）参照〕よりは黒塗りの面積が大きいものの、従来の開口窓Ｋ１０〔図３（ｃ）参照〕に対して黒塗りの面積は小さくなっており、ボケ味やゴースト形状の品位を良化できることがわかる。
【００２９】
また、θ１＝θ２＝１２０度，θ３＝θ４＝６０度とした場合、回動レバー５の回動軸ＣＬ１から駆動ピン５ｂ，５ａ，５ｃ，５ｄまでの距離をそれぞれＬｂ，Ｌａ，Ｌｃ，Ｌｄとしたときの互いの比率を、
Ｌｂ：Ｌａ：Ｌｃ：Ｌｄ＝１：１．７３：−１．７３：−１
と設定すると、開口窓Ｋ２の形状は、回動レバー５の回転位置に拘わらず相似となる。
【００３０】
実施例においては、第３の羽根３に辺３ｃを設け、第４の羽根４に辺４ｃを設けている。
すなわち、第３の羽根３における辺３ａと辺３ｂとは、辺３ｃを介して頂点Ｐ３で交わらないように連結され、第４の羽根４における辺４ａと辺４ｂとは、辺４ｃを介して頂点Ｐ４で交わらないように連結されている。
【００３１】
これにより、第３の絞り羽根３については、図２（ｃ）に示されるように、辺３ｃがない場合に開口窓Ｋ１を閉じきるために必要な軸線ＣＬｎ方向の移動距離であるストロークＳｔ１に対し、辺３ｃを設けた場合に開口窓Ｋ１を閉じきるために必要な軸線ＣＬｎ方向のストロークＳｔ２はΔＳｔ３だけ短くなっている。
同様に、第４の絞り羽根４についても図２（ｄ）に示されるように、ストロークはΔＳｔ４だけ短くなっている
【００３２】
従って、辺３ｃ及び辺４ｃを設けたことにより、絞り装置５０は、軸線ＣＬｎ方向の外形寸法を、ΔＳｔ３＋ΔＳｔ４で示される長さだけ短くすることができ、小型化が可能となっている。
【００３３】
このように、辺３ｃ，辺４ｃは、ストローク短縮手段として機能する。
開口窓Ｋ１が有る程度面積が確保されている段階では、辺３ｃ，辺４ｃは、開口窓Ｋ１の形成に寄与しない。例えば、図４（ａ）〜図４（ｌ）で示される段階においてである。
これに対して、開口窓Ｋ１の面積が極小になる図４（ｍ），（ｎ）の状態では、辺３ｃ，辺４ｃが開口窓Ｋ１の辺を構成するので、八角形が維持されない。
従って、ストローク短縮手段を設ける位置は、小絞り側の、開口窓Ｋ１形状が実用上画質に影響を及ぼさない範囲としてもよい。
【００３４】
第１〜第４の絞り羽根について繰り返し説明すると、
第１の絞り羽根は、回動アームに連結されており、頂角が鈍角のＶ字状で回動軸より遠いほど互いに接近するよう形成された第１の一対の辺を有している。
第２の絞り羽根は、回動アームに連結されており、頂角が鈍角のＶ字状で回動軸に近いほど互いに接近するよう形成された第２の一対の辺を有している。
第３の絞り羽根は、回動アームに連結されており、頂角が鋭角のＶ字状で回動軸より遠いほど互いに接近するよう形成された第３の一対の辺を有している。
第４の絞り羽根は、回動アームに連結されており、頂角が鋭角のＶ字状で回動軸に近いほど互いに接近するよう形成された第４の一対の辺を有している。
【００３５】
本発明の実施例は、上述した構成及び手順に限定されるものではなく、本発明の要旨を逸脱しない範囲において変形例としてもよいのは言うまでもない。
【００３６】
辺３ｃ，４ｃを設ける代わりに、円弧（いわゆるＲ）で辺３ａと辺４ｂとを、あるいは辺４ａと辺４ｂと連結してもよい。
各羽根１〜４の頂角θ１〜θ４は、上述した角度に限定されるものではない。
第３，第４の羽根３，４の頂角θ３，θ４を大きくすることで正八角形は得られないもののストロークを短縮することができるので、円近似を優先するか、ストローク短縮による小型化を優先するかで数値を決定すればよい。
いずれの場合においても、距離Ｌｂ，Ｌａ，Ｌｃ，Ｌｄの比率を開口窓の大きさを相似形で変化させるように設定することができる。
また、開口窓の形状が八角形に限らず、ストローク短縮手段を設ければ、絞り羽根の移動距離が短くなって絞り装置を小型化できる。
【符号の説明】
【００３７】
１〜４  第１〜第４の羽根
１ａ，２ａ，３ａ，４ａ  辺
１ｂ，２ｂ，３ｂ，４ｂ  辺
１ｃ，２ｃ  辺（ストローク短縮手段）
５  回動アーム
５ａ〜５ｄ  駆動ピン
６  ベース板
６ａ〜６ｄ  案内ピン
６ｋ  開口部
７  ガルバノメータ
５０  絞り装置
ＣＬ１  回動軸
ＣＬｎ，ＣＬｔ  軸線
Ｋ１  開口窓
Ｐ１〜Ｐ４  頂点
θ１〜θ４  頂角
【図１】
2010230980.tif 000003
【図２】
2010230980.tif 000004
【図３】
2010230980.tif 000005
【図４】
2010230980.tif 000006
【図５】
2010230980.tif 000007